(57)【要約】      （修正有）【課題】初心者であっても容易に選別することができ、かつ、安価なサクランボ選別台を提供する。【解決手段】サクランボ粒を規格ごとに選別する供給面２，３，４を各規格ごとに設けた透明な箱体であって、該選別部には各供給面ごとに各規格に応じた逆円錐台状の選別穴５，６，７を複数穿設する。また、該選別部の下部は収納箱２１，２２，２３が収容されるとともに作業者の手を入れることのできる程度の作業スペースが設け、各供給面の選別穴からサクランボを落下されることで選別を行うこととし、前前記供給面には、縁部及び各規格ごとの供給面の境界に断面略三角形状のストッパーを突設させて設ける。【選択図】図１
0003166270.tif 000002
【実用新案登録請求の範囲】
【請求項１】
サクランボ粒を規格ごとに選別する供給面を各規格ごとに設けた透明な箱体であって、該選別部には各供給面ごとに各規格に応じた逆円錐台状の選別穴が複数穿設され、また、該選別部の下部は収納箱が収容されるとともに、作業者の手を入れることのできる程度の作業スペースが設けられ、各供給面の選別穴からサクランボを落下されることで選別を行うことを特徴とするサクランボ選別台
【請求項２】
前記供給面には、縁部及び各規格ごとの供給面の境界に断面略三角形状のストッパーが突設されていることを特徴とする請求項１記載のサクランボ選別台。
【考案の詳細な説明】
【技術分野】
【０００１】
本考案は、収穫後のサクランボを簡単に選別することのできるさくらんぼ選別台に関する。
【背景技術】
【０００２】
一般に収穫したサクランボは、Ｍ、Ｌ、２Ｌ、３Lの規定サイズに選別した上で、箱詰めして出荷される。この選別作業は、通常、視覚による選別や、各サイズの穴の開いた定規を使用して手作業で行われる。
【０００３】
ところで、サクランボの生産者には兼業農家が多く、また、サクランボの収穫期は約一ヶ月と短い。さらに、サクランボは他の果樹に比べて非常に傷みやすいため、収穫後は早急に選別及びパック詰めをしなければならない。そのため、生産者は、サクランボの収穫期には短期アルバイトやパート等を採用し、これらの作業者によって作業が行われている。しかし、サクランボの選別作業には熟練した技能が必要であり、経験者でなければなかなか作業が進まないという問題がある。
【０００４】
また、最近では、センサ等でサイズや重さを検知して選別を行う選別装置も活用されてはいるが、このような選別装置は非常に高価なものであり、また設置スペースも必要なことから、簡単には導入できないという問題もある。
【先行技術文献】
【特許文献】
【０００５】
【特許文献１】特開２００９−１７２４８０号公報
【特許文献２】実用新案登録第３１３４０１５号公報
【考案の概要】
【考案が解決しようとする課題】
【０００６】
本考案は、上記課題を解決するため、費用やスペースの問題からセンサ等を利用した選別装置を導入できない生産者等において、従来作業に時間と手間がかかっていた選別作業を、未経験者でも簡単に作業することができ、かつ、安価で作業スペースもとらないサクランボ選別台を提供することを目的としてなされたものである。
【課題を解決するための手段】
【０００７】
前記目的を達成するため、請求項１の考案は、サクランボ粒を規格ごとに選別する供給面を各規格ごとに設けた透明な箱体であって、該選別部には各供給面ごとに各規格に応じた逆円錐台状の選別穴が複数穿設し、また、該選別部の下部には収納箱が収容されるとともに、作業者の手を入れることのできる程度の作業スペースを設け、各供給面の選別穴からサクランボを落下されることで選別を行うことを特徴とする。
【０００８】
また、請求項２の考案は、前記サクランボ選別台の供給面に、縁部及び各規格ごとの供給面の境界に、断面略三角形状のストッパーを突設したことを特徴とする
【考案の効果】
【０００９】
本考案のサクランボ選別台によれば、未経験者であってもサクランボの選別作業が容易することが可能であり、また、狭い作業スペースであっても使用することが可能である。
【００１０】
また、材質が透明であることにより、サクランボが穴から落下した時点でチェックでき、さらに手を入れるリェックスペースを設けたことにより、その時点でも傷などのある不良品を取り除くことができる。その結果、サクランボを何度もチェックすることで、箱詰め時の不良品の混入を防止することが可能となる。
【図面の簡単な説明】
【００１１】
【図１】図１は本考案のサクランボ選別台を示す斜視図である。
【図２】図２は本考案のサクランボ選別台の選別部を示す平面図である。
【図３】図３は本考案のサクランボ選別台の開口部側を示す正面図である。
【図４】図４は本考案のサクランボ選別台の選別部における選別穴の拡大側面図である。
【図５】図５は本考案のサクランボ選別台の使用状態を示す側面図である。
【考案を実施するための形態】
【００１２】
図１は、本考案のサクランボ選別台１の全体を示す斜視図である。サクランボ選別台１は、前面が開口された箱体状からなり、内部は仕切り板１１及び１２により３区分に分割された構成となっている。該内部の各区分は、収納箱２１、２２、２３がそれぞれ収容可能となっている。尚、該サクランボ選別台は、内部を視認できるようにするため、透明な素材であることが望ましい。
【００１３】
また、サクランボ選別台１は、前記のように各収納箱が収納されたとしても、作業者が内部に手を入れることのできる作業用スペース２４を有する程度の高さを有している。
【００１４】
サクランボ選別台１の上面は、選別するサクランボの供給部となっており、さらに該供給部は、図１及び図２に示すように、仕切り板１１および１２に応じて、サクランボの規格に対応したＭサイズ供給部２、Ｌサイズ供給部３、２Ｌサイズ供給部４の３区分に分割されている。
【００１５】
そして、各供給部２〜４には、それぞれＭ、Ｌ、２Ｌの規格に対応したＭサイズ選別穴５、Ｌサイズ選別穴６、２Ｌサイズ選別穴７が複数穿設され貫通している。
【００１６】
各選別穴５〜７は、図４に示すように、上部の穴の直径よりも下部の穴の直径が小さい略逆円錐台状の構成となっており、穴内部に傾斜面を有している。したがって、下部の穴の大きさが各規格に対応した直径となっており、上部の穴の直径は、前記規格よりも大きい径とする必要がある。具体的には、Ｍサイズ選別穴５の下部の直径を２２ｃｍ、上部の直径を２８ｃｍとし、Ｌサイズ選別穴６の下部の直径を２５ｃｍ、上部の直径を３１ｃｍとし、２Ｌサイズ選別穴７の下部の直径を２８ｃｍ、下部の直径を３４ｃｍとするのが好ましい。
【００１７】
このように、各選別穴の上部が各規格よりも大きい直径を有していることで、サクランボの落下速度が上がって選別が効率的になるとともに、穴内部が内側に所定の角度で傾斜していることで、サクランボに傷をつけるということもない。
【００１８】
また、図１及び図４に示すように、サクランボ選別台１の上面である供給面には、各供給部２〜４の境界に各供給部を仕切る断面略三角形状のストッパー３２及び３３が突設されるとともに、各供給部からなるサクランボ選別台１の上面の縁部にも同形状のストッパー３１、３４、３５、３６が突設されている。
【００１９】
前記ストッパー３１〜３６が設けられることにより、サクランボを各供給部２〜４に載せた際に、外側に落下したり、隣の区分に転がったりすることを防止することが可能となる。
【００２０】
また、図３に示すように、サクランボ選別台１の下面部に、例えばゴム製の台脚４１〜４４を付設すれば、滑り止めの効果を奏し、サクランボ選別台が揺れたり、滑ることなく安定し、選別作業がよりし易くなる。
【００２１】
次に、図５を参照して、本考案のサクランボ選別台の使用例について説明する。
【００２２】
まず、収穫された大きさの異なるサクランボが入っている平コンテナを、本考案のサクランボ選別台１のＭサイズ側に置き、内部にスポンジ等のクッション材を敷いた収納箱２１〜２３を各サイズの区画に収納する。
【００２３】
そして、平コンテナ内のサクランボを、Ｍサイズの選別区分であるＭサイズ供給部２上に適度に載せ、傷のあるものや不良品が混じっていないかチェックしながらサクランボを動かしていく。このとき、Ｍサイズ以下のものはＭサイズ用選別穴５から下の収納箱２１内に落下することで選別がなされる。
【００２４】
Ｍサイズ供給部２において落下しなかったサクランボは、隣のＬサイズ供給部３上に移動させ、前述と同様に動かすことで、Ｍサイズ以上Ｌサイズ以下のサクランボがＬサイズ用選別穴６から下の収納箱２２内に落下し、Ｌサイズの選別がなされる。
【００２５】
Ｌサイズ供給部３においても落下しなかったサクランボは、さらに隣の２Ｌサイズ供給部４上に移動させ、上記と同様に動かすことで、Ｌサイズ以上２Ｌサイズ以下のものが２Ｌサイズ用選別穴７から下の収納箱２３内に落し、２Ｌの選別がなされる。
【００２６】
そして、２Ｌサイズ供給部４でも落下せず残ったサクランボは、３Ｌサイズとして別の箱に移す。以上のように作業することで、Ｍ、Ｌ、２Ｌ、３Ｌサイズのサクランボを、痛んだものや不良品を取り除きながら、簡単に等級別に選別することが可能となる。
【符号の説明】
【００２７】
１    サクランボ選別台
２    Ｍサイズ供給部
３    Ｌサイズ供給部
４    ２Ｌサイズ供給部
５    Ｍサイズ用選別穴
６    Ｌサイズ用選別穴
７    ２Ｌサイズ用選別穴
１１、１２    仕切り板
２１、２２、２３    収納箱
２４    作業用スペース
３１、３２、３３、３４、３５、３６    ストッパー
４１、４２、４３、４４  台脚
【図１】
0003166270.tif 000003
【図２】
0003166270.tif 000004
【図３】
0003166270.tif 000005
【図４】
0003166270.tif 000006
【図５】
0003166270.tif 000007